(57)【特許請求の範囲】
【請求項１】
封筒上紙部と封筒下紙部と封緘部とを平行に伸びる折り部を介して連接し、前記封筒上紙部の表面側にはあらかじめあて先を表示し、前記封筒上紙部及び前記封筒下紙部のいずれか一方と、前記封緘部との裏面側には、それぞれ接着剤を塗布するための糊付部を設けてなる封筒作成用紙であって、この封筒作成用紙の両端には、前記折り部と平行な切り用ミシン目を介して綴じ片と補助片とを連接し、封筒作成用紙を前記封筒上紙部のあて先表示面を内側にして折り返すとともに、前記綴じ片を前記補助片に綴じ合わせてなることを特徴とするあて先を隠蔽した封筒作成用紙。
【請求項２】
糊付部のうち、少なくとも封筒上紙部及び封筒下紙部のいずれか一方の裏面側に設けた糊付部に、接着剤として粘着剤を塗布し、この粘着剤を剥離紙で被覆したことを特徴とする請求項１記載のあて先を隠蔽した封筒作成用紙。
【請求項３】
請求項１または請求項２に記載のあて先を隠蔽した封筒作成用紙において、補助片の前記封筒作成用紙の連接端とは反対側端に、申込書と、各種情報を表示した情報表示用紙とを、綴じ合わせるとともに、前記申込書は分離可能に構成したことを特徴とするあて先を隠蔽した封筒作成用紙を綴じ込んだ冊子。
【発明の詳細な説明】
【技術分野】
【０００１】
本発明は、各種の申込書を封入して申込先に郵送する封筒を作成するためのあらかじめあて先が表示された封筒作成用紙及びこれを綴じ込んだ冊子に関し、特に、封筒作成用紙に表示したあて先を隠蔽したものに関する。
【背景技術】
【０００２】
従来から、金融機関などの各種サービスを受けるための申込書を郵送する封筒作成用の用紙は知られているが、別に用意した申込書やパンフレットとともにフィルム袋に収納したり、申込書やパンフレットと綴じ合わせた冊子を折り畳んで、店内に置いているのが一般的である。そして、封筒作成用紙には、申込者の便宜を考慮してあらかじめあて先を表示している。
【特許文献１】実開平１−１１２９７５号公報
【発明の開示】
【発明が解決しようとする課題】
【０００３】
ところが、店内におけるフィルム袋や折り畳んだ冊子の持ち出しは自由なため、封筒作成用紙に表示したあて先が改変されたり、別のあて先を表示した封筒作成用紙に差し替えられる可能性がある。そして、このような不正行為がなされると、申込者の個人情報を記入した申込書が、正規の送付先でない別のあて先に送られて、個人情報が窃取されてしまう事態を生じる。本発明は、このような事態が生じるのを防止するあて先を隠蔽した封筒作成用紙及びこれを綴じ込んだ冊子を提供することを目的とする。
【課題を解決するための手段】
【０００４】
この目的を達成するため本発明の請求項１に係るあて先を隠蔽した封筒作成用紙は、封筒上紙部と封筒下紙部と封緘部とを平行に伸びる折り部を介して連接し、前記封筒上紙部の表面側にはあらかじめあて先を表示し、前記封筒上紙部及び前記封筒下紙部のいずれか一方と、前記封緘部との裏面側には、それぞれ接着剤を塗布するための糊付部を設けてなる封筒作成用紙であって、この封筒作成用紙の両端には、前記折り部と平行な切り用ミシン目を介して綴じ片と補助片とを連接し、封筒作成用紙を前記封筒上紙部のあて先表示面を内側にして折り返すとともに、前記綴じ片を前記補助片に綴じ合わせたものである。
【０００５】
また、同じく上記目的を達成するために本発明の請求項２に係るあて先を隠蔽した封筒作成用紙は、上記請求項１の構成において、糊付部のうち、少なくとも封筒上紙部及び封筒下紙部のいずれか一方の裏面側に設けた糊付部に、接着剤として粘着剤を塗布し、この粘着剤を剥離紙で被覆したものである。
【０００６】
さらに、同じく上記目的を達成するために本発明の請求項３に係るあて先を隠蔽した封筒作成用紙を綴じ込んだ冊子は、上記請求項１または請求項２に記載のあて先を隠蔽した封筒作成用紙の構成において、補助片の封筒作成用紙との連接端とは反対側端に、申込書と、各種情報を表示した情報表示用紙とを、綴じ合わせるとともに、前記申込書は分離可能に構成したものである。
【発明の効果】
【０００７】
本発明の請求項１に係るあて先を隠蔽した封筒作成用紙によれば、切り用ミシン目を破断しなければ封筒作成用紙に表示された封筒のあて先が視認できないので、あて先の改変や封筒の差し替えという不正行為を行うことが困難であるとともに、不正行為をしたか否かを視覚によって容易に判断することができ、しいては個人情報の窃取を未然に防止できるという効果を奏する。
【０００８】
本発明の請求項２に係るあて先を隠蔽した封筒作成用紙によれば、少なくとも封筒上紙部及び封筒下紙部のいずれか一方の裏面側に設けた糊付部に、接着剤として粘着剤を塗布し、この粘着剤を剥離紙で被覆したので、上記請求項１に係る発明の効果に加え、封筒の作成が容易になるという効果を奏する。
【０００９】
本発明の請求項３に係るあて先を隠蔽した封筒作成用紙を綴じ込んだ冊子によれば、申込書及び情報表示用紙を封筒作成用紙に連接した補助片と綴じ合わせるとともに、申込書は分離可能に構成したので、上記請求項１及び２に係る発明の効果に加え、申込書送付用の封筒を作成するための用紙としての使い勝手が向上するという効果を奏する。
【発明を実施するための最良の形態】
【００１０】
以下、本発明の好適な実施形態について添付図面に基づき説明する。ここにおいて、図１〜図７は第１の実施形態を示すもので、図１はあて先を隠蔽した封筒作成用紙を綴じ込んだ冊子の平面図、図２はそのＡ−Ａ線端面図、図３は封筒作成用紙の表面側を示す平面図、図４は同じく裏面側を示す平面図、図５は申込書の平面図、図６は作成した封筒に申込書を挿入、封緘した状態の端面図、図７は図６の切断面と直交する切断面における同状態の端面図である。図８及び図９は封筒作成用紙の他の実施形態を示すもので、図８は封筒作成用紙の表面側を示す平面図、図９は同じく裏面側を示す平面図である。図１０〜図１２は封筒作成用紙のさらに他の実施形態を示すもので、図１０は封筒作成用紙を綴じ込んだ冊子を示す端面図、図１１は同じく封筒作成用紙の裏面側を示す平面図、図１２は同じく切り用ミシン目を介して連接した第２補助片と剥離紙の平面図である。図１３及び図１４は封筒作成用紙のまたさらに他の実施形態を示すもので、図１３は封筒作成用紙を綴じ込んだ冊子を示す端面図、図１４は同じく封筒作成用紙の裏面側を示す平面図である。
【００１１】
まず、第１の実施形態を図１〜図７に基づいて説明する。図２に示す冊子１に綴じ込んだ、あて先を隠蔽した封筒作成用紙１１は、図３及び図４に示すように、封筒上紙部１２と封筒下紙部１３と封緘部１４とを平行に伸びる仮想線で示す折り部Ｘ１，Ｙを介して連接し、前記封筒上紙部１２の表面側にはあらかじめ、あて先１５と、冊子１を置く店舗固有の店舗コード１６を表示している。図４に示すように、前記封筒上紙部１２の裏面側には、前記各折り部Ｘ１，Ｙと直交する端縁に沿って接着剤を塗布するための糊付部１７ａ，１７ｂを設け、これら糊付部１７ａ，１７ｂには「のり」とあらかじめ表示している。また、前記封緘部１４の裏面側にも糊付部が設けられ、この糊付部にはあらかじめアスティックテープ１８を設けている。
【００１２】
図２〜図４に示すように、封筒作成用紙１１の両端には、各折り部Ｘ１，Ｙと平行な切り用ミシン目１９，２０を介して綴じ片２１と補助片２２とを連接している。前記補助片２２には、前記切り用ミシン目２０と平行な仮想線で示す折り部Ｘ２が位置する。そして、図２に示すように、前記封筒作成用紙１１を封筒上紙部１２のあて先表示面を内側にして折り部Ｙで折り返し、前記綴じ片２０を前記補助片２１に接着剤２３で綴じ合わせている。この折り返して綴じ合わせた状態において、あて先１５は隠蔽された状態となり、また、折り部Ｘ１と折り部Ｘ２とは上下に重なるものである。
【００１３】
図３に示すように、補助片２２の表面側には、説明文２４をあらかじめ表示している。この説明文２４は、例えば、後述する申込書に記載される個人情報の取扱に関する説明や、封筒作成用紙１１から封筒を作成する手順及びその使用方法に関する説明である。この説明文２４は、あて先１５及び店舗コード１６とともに印字すると好適である。
【００１４】
図２に示すように、補助片２２の封筒作成用紙１１との連接端とは反対側端に、申込書２と、各種情報を表示した２枚の情報表示用紙３，４とを、重ね合わせて、互いに接着剤３０，３１，３２で綴じ合わせている。また、前記申込書２は綴じ合わせ部分の内側に切り用ミシン目５を設けて分離可能としている。
【００１５】
図１に示すように、最上位の情報表示用紙３の表面には「○○入会のご案内」という表題を中央から右側に表示し、その下に案内文６を全体にわたって表示してあり、また、図示してはいないが、下位の情報表示用紙４の表面には、宣伝広告文を表示してある。一方、図５に示すように、申込書２の表面には、「入会申込書」という表題の下に申込情報記入欄７を表示し、さらにその下に、封筒上紙部１２に表示した店舗コード１６と同一内容の店舗コード８を表示している。
【００１６】
続いて、上述した冊子１に綴じ込んだ封筒作成用紙１１の使用方法について説明する。冊子１は、図２に示す折り部Ｘ１，Ｘ２で情報表示用紙３を外側にして二つ折りし、「○○入会のご案内」という表題が表出した状態で、必要に応じてフィルム袋に収納して、銀行やコンビニエンスストア等の店舗内に置かれる。入会申込希望者は、この二つ折りされた冊子１を持ち帰るのであるが、封筒作成用紙１は、正規状態であれば、封筒上紙部１２のあて先表示面が内側になるよう折り返されて綴じられているので、あて先１５は隠蔽されて視認できない。一方、切り用ミシン目１９，２０が破断される等して、あて先１５が視認可能状態にあれば、不正規状態と視覚により容易に判断できるので、個人情報の窃取を未然に防ぐことができる。
【００１７】
申込希望者は封筒作成用紙１１が正規状態にあることを確認した後、補助片２２に表示された説明文２４にしたがって、申込書２を切り用ミシン目５から切り離すとともに、切り用ミシン目１９，２０を破断して、封筒作成用紙１１を綴じ片２１及び補助片２２から切り離す。この切り離し動作は、折り返し状態にある封筒作成用紙１１の適所を上下からを摘んで引っ張ると、前記各切り用ミシン目１９，２０が破断して、容易になし得る。次いで、糊付部１７ａ，１７ｂに適宜な接着剤３３ａ，３３ｂを塗布し、折り部Ｙで封筒下紙部１３の裏面側を封筒上紙部２の裏面側に折り重ねると、封緘部１４部分が開口した封筒２５が作成される（図６及び図７参照）。
【００１８】
したがって、所定事項を記入して折り畳んだ申込書２を封筒２５に挿入し、アスティックテープ１８を剥離して、封緘部１４を封筒下紙部１３に重ねて押圧すれば、図６に示すように、粘着剤１８ａによって接着された封緘状態となって、封筒上紙部１２に表示された正規のあて先１５に郵送可能となる。一方、この封筒２５を受領した送付先では、開封後、封筒上紙部１２と申込書２に表示された店舗コード１６，８を照合、確認して正規の店舗に置かれていたものか否かの確認ができる。
【００１９】
続いて、図８及び図９に基づき封筒作成用紙に関する第２の実施形態を説明する。この実施形態が第１の実施形態と相違するのは、作成する封筒の形状と糊付部の位置だけであり、他の構成及び使用方法は両実施形態において同一であるから、相違点についてのみ説明し、対応する同一の構成要素については同一符号を付して、その説明は省略する。
【００２０】
図８及び図９に示すように、封筒作成用紙４１の封筒下紙部１３には、切り用ミシン目２０からそれぞれ上下端と平行に伸びて折り部Ｙに達する、切り用ミシン目４２ａ，４２ｂを設けている。また、綴じ片１４には、切り用ミシン目１９から上下端と平行に伸びて折り部Ｘ１に達する切り用ミシン目４３ａ，４３ｂを設けている。これら各切り用ミシン目４２ａ，４２ｂ，４３ａ，４３ｂは、封筒上紙部１２まで延設され、封筒上紙部１２においては斜めに端縁に向けて伸びて、台形状の上封緘部４４ａ及び下封緘部４４ｂを形成する。一方、綴じ片１４の各切り用ミシン目１９，４３ａ，４３ｂで囲まれた部分で横封緘部４６を形成する。そして、各封緘部４４ａ，４４ｂ，４６の裏面側には、それぞれ糊付部４５ａ，４５ｂ，４７を設けている。
【００２１】
本実施形態にあっては、各切り用ミシン目１９，２０，４２ａ，４２ｂ，４３ａ，４３ｂを破断して、封筒上紙部１２と封筒下紙部１３の裏面側を折り部Ｙで折り重ね、上封緘部４４ａと下封緘部４４ｂの糊付部４５ａ，４５ｂに接着剤を塗布して、これら封緘部４４ａ，４４ｂを前記封筒下紙部１３の表面側に折り重ねて接着すると、横封緘部４６部分が開口した封筒（図示せず）が形成される。この封筒は、第１実施形態の封筒に比べて、各封緘部４４ａ，４４ｂに対応する上下部分が短いものとなる。
【００２２】
続いて、図１０〜図１２に基づき封筒作成用紙に関する第３の実施形態を説明する。本実施形態が第１の実施形態と相違するのは、糊付部の構成だけなので、封筒作成用紙のその他の構成に関する詳細な説明は省略するとともに、冊子の他の構成についても、対応する同一構成要素には同一符号を付すに止め、その説明は省略する。
【００２３】
図１０に示す冊子１０に綴じ込んだ、あて先を隠蔽した封筒作成用紙５１は、図１１に示すように、封筒上紙部５２と封筒下紙部５３と封緘部５４とを平行に伸びる仮想線で示す折り部Ｘ１，Ｙを介して連接し、図示していないが、前記封筒上紙部５２の表面側にはあらかじめ、あて先と、冊子１０を置く店舗固有の店舗コードを表示している。前記封筒下紙部５３の裏面側には、前記折り部Ｙと直交する端縁に沿って設けた糊付部に、あらかじめ粘着剤５７ａ，５７ｂを塗布している。また、前記封緘部５４の裏面側に設けた糊付部には、あらかじめアスティックテープ５８を設けている。
【００２４】
図１０及び図１１に示すように、封筒作成用紙５１の両端には、各折り部Ｘ１，Ｙと平行な切り用ミシン目５９，６０を介して綴じ片６１と補助片６２とを連接している。前記補助片６２には、綴じ合わせた状態で前記折り部Ｘ１と上下に重なる折り部Ｘ２が位置し、図１０に示すように、前記封筒作成用紙５１を封筒上紙部５２のあて先表示面を内側にして折り部Ｙで折り返し、前記綴じ片６１を前記補助片６２に接着剤６３で綴じ合わせ、あて先を隠蔽している。なお、図示していないが、前記補助片６２の表面側には、申込書２に記載される個人情報の取扱に関する説明や、封筒作成用紙５１から封筒を作成する手順及びその使用方法に関する説明等の説明文を表示している。
【００２５】
図１０に示すように、補助片６２の封筒作成用紙５１との連接端とは反対側端の裏面側に、切り用ミシン目６４を介して剥離紙６５と連接した第２補助片６６を接着剤６７で綴じ合わせている。この綴じ合わせ状態で、前記切り用ミシン目６４は切り用ミシン目６０と上下に対応位置する。図１０及び図１２に示すように、剥離紙６５における封筒下紙部５３の粘着剤５７ａ，５７ｂに対応する部分には、剥離剤６８ａ，６８ｂを設けて、前記封筒下紙部５３と剥離紙６５とを剥離可能に接着している。なお、前記剥離剤６８ａ，６８ｂは、粘着剤５７ａ，５７ｂに対応する部分のみでなく、全面的に設けてもよいものである。また、前記第２補助片６６に各種情報を表示してもよいものである。
【００２６】
本実施形態は以上のように構成したので、封筒作成用紙５１は、正規状態であれば、封筒上紙部５２のあて先表示面が内側になるよう折り返されて綴じられているので、あて先（図示せず）は隠蔽されて視認できない。一方、切り用ミシン目５９，６０が破断される等して、あて先が視認可能状態にあれば、不正規状態と視覚により容易に判断できるので、個人情報の窃取を未然に防ぐことができる。
【００２７】
申込希望者は封筒作成用紙５１が正規状態にあることを確認した後、補助片６２に表示された説明文にしたがって、申込書２を切り用ミシン目５から切り離すとともに、切り用ミシン目５９，６０，６４を破断して、封筒作成用紙５１を綴じ片６１及び補助片６２から切り離すとともに、剥離紙６５を第２補助片６６から切り離す。この切り離し動作は、折り返し状態にある封筒作成用紙５１と剥離紙６５の適所を上下からを摘んで引っ張ると、前記各切り用ミシン目５９，６０，６４が破断して、容易になし得る。次いで、剥離紙６５を剥離して粘着剤５７ａ，５７ｂを露出し、折り部Ｙで封筒下紙部５３の裏面側を封筒上紙部５２の裏面側に折り重ねて押圧すると、封緘片５４部分が開口した封筒（図示せず）を作成できる。
【００２８】
したがって、図示してはいないが、所定事項を記入して折り畳んだ申込書２を封筒に挿入し、アスティックテープ５８を剥離して、封緘片５４を封筒下紙部５３に重ねて接着すれば、封緘状態となって、封筒上紙部５２に表示された正規のあて先に郵送可能となる。同様に図示してはいないが、この封筒を受領した送付先では、開封後、封筒上紙部５２と申込書２に表示された店舗コードを照合、確認して正規の店舗に置かれていたものか否かの確認ができる。
【００２９】
続いて、図１３及び図１４に基づき封筒作成用紙に関する第４の実施形態を説明する。この実施形態も糊付部にあらかじめ粘着剤を設けて剥離紙で被覆する構成を採用したものであるが、第３の実施形態と相違するのは、糊付部の位置だけであり、他の構成及び使用方法は前記第３の実施形態と同一であるから、相違点についてのみ説明し、対応する同一の構成要素については第３の実施形態と同一符号を付して、その説明は省略する。
【００３０】
図１３及び図１４に示すように、封筒作成用紙８１における封筒上紙部５２の裏面側には、折り部Ｘ１，Ｙと直交する端縁に沿って設けた糊付部に、あらかじめ粘着剤６９ａ，６９ｂを塗布している。そして、前記粘着剤６９ａ，６９ｂに対応する部分に剥離剤７０ａ（一方のみ図示）を設けた剥離紙７１を、前記封筒上紙部５２に剥離可能に接着している。なお、前記剥離剤７０ａは、粘着剤６９ａ，６９ｂに対応する部分のみでなく、全面的に設けてもよいものである。また、前記剥離紙７１を前記アスティックテープ５８部分まで延出して、アスティックテープ５８に替えることもできる。
【００３１】
本実施形態においても、冊子８０を持ち帰った申込希望者は、封筒作成用紙８１が正規状態にあることを確認した後、補助片６２に表示された説明文にしたがって、申込書２を切り用ミシン目５から切り離すとともに、切り用ミシン目５９，６０を破断して、封筒作成用紙８１を剥離紙７１とともに、綴じ片６１及び補助片６２から切り離す。この切り離し動作は、折り返し状態にある封筒作成用紙８１と剥離紙７１の適所を上下からを摘んで引っ張ると、前記各切り用ミシン目５９，６０が破断して、容易になし得る。次いで、剥離紙７１を剥離して粘着剤６９ａ，６９ｂを露出し、折り部Ｙで封筒下紙部５３の裏面側を封筒上紙部５２の裏面側に折り重ねると、封緘部５４部分が開口した封筒（図示せず）を作成できる。この作成した封筒の使用方法は第３の実施形態と同様である。
【００３２】
なお、本発明は、上述の各実施形態に限定されるものではなく、例えば、情報表示用紙３，４の数は２枚に限定されず、１枚でもよいし、３枚以上でもよいほか、これらを別体として構成してもよい。また、申込書２も冊子１，１０，８０に綴じ込まず、別体に構成してもよい。さらに、申込書２の縦方向の長さを、封筒上紙部１２，５２及び封筒下紙部１３，５３の上下端の糊代を考慮して、情報表示用紙３，４よりも短く形成すると封筒２５内への挿入が容易となって好適である。
【図面の簡単な説明】
【００３３】
【図１】第１実施形態におけるあて先を隠蔽した封筒作成用紙を綴じ込んだ冊子の平面図。
【図２】図１のＡ−Ａ線端面図。
【図３】封筒作成用紙の表面側を示す平面図。
【図４】同じく裏面側を示す平面図。
【図５】同じく申込書の平面図。
【図６】同じく作成した封筒に申込書を挿入、封緘した状態の端面図。
【図７】図６の切断面と直交する切断面における同状態の端面図。
【図８】第２実施形態における封筒作成用紙の表面側を示す平面図。
【図９】同じく裏面側を示す平面図。
【図１０】第３実施形態における封筒作成用紙を綴じ込んだ冊子を示す端面図。
【図１１】同じく封筒作成用紙の裏面側を示す平面図。
【図１２】同じく切り用ミシン目を介して連接した第２補助片と剥離紙の平面図。
【図１３】第４実施形態における封筒作成用紙を綴じ込んだ冊子を示す端面図。
【図１４】同じく封筒作成用紙の裏面側を示す平面図。
【符号の説明】
【００３４】
１，１０，８０      冊子
２      申込書
３，４      情報表示用紙
５，１９，２０，４２ａ，４２ｂ，４３ａ，４３ｂ，５９，６０，６４      切り用ミシン目
６      案内文
７      申込情報記入欄
８，１６      店舗コード
１１，４１，５１，８１      封筒作成用紙
１２，５２      封筒上紙部
１３，５３      封筒下紙部
１４，５４      封緘部
１５      あて先
１８，５８      アスティックテープ
２１，６１      綴じ片
２２，６２      補助片
２３，３０，３１，３２，３３ａ，３３ｂ，６３，６７      接着剤
２４      説明文
２５      封筒
４４ａ      上封緘部
４４ｂ      下封緘部
４６      横封緘部
５７ａ，５７ｂ，６９ａ，６９ｂ      粘着剤
６５，７１      剥離紙
６６      第２補助片
６８ａ，６８ｂ，７０ａ      剥離剤
Ｘ１，Ｘ２，Ｙ      折り部
【図１】
0004699845.tif 000002
【図２】
0004699845.tif 000003
【図３】
0004699845.tif 000004
【図４】
0004699845.tif 000005
【図５】
0004699845.tif 000006
【図６】
0004699845.tif 000007
【図７】
0004699845.tif 000008
【図８】
0004699845.tif 000009
【図９】
0004699845.tif 000010
【図１０】
0004699845.tif 000011
【図１１】
0004699845.tif 000012
【図１２】
0004699845.tif 000013
【図１３】
0004699845.tif 000014
【図１４】
0004699845.tif 000015